(57)【要約】【課題】ハウリング発生を未然に防ぐために、閉ループの環境が変化してもループゲインを推定することができるループゲイン推定装置を提供する。【解決手段】疑似ノイズ重畳部７は、マイク１１が収音した音声に疑似ノイズ（Ｍ系列）を重畳し、増幅系統に出力する。演算部５は、マイク１１が収音した音声と上記疑似ノイズの相関計算を行う。演算部５は、疑似ノイズ重畳部７が疑似ノイズを出力してから最初に算出した所定レベル以上の相関値を直接波の成分としてループゲインを推定する。【選択図】図１
2010130070.tif 000002
【特許請求の範囲】
【請求項１】
音声信号を入力する入力部と、
疑似ノイズを生成するノイズ生成部と、
前記入力部が入力した音声信号に前記疑似ノイズを重畳して増幅系統に出力する重畳部と、
前記入力部が入力した音声信号と前記ノイズ生成部が生成する疑似ノイズの相関を求める相関計算部と、
前記相関計算部が算出した相関値から、閉ループのゲインを推定するループゲイン推定部と、
を備えたループゲイン推定装置。
【請求項２】
前記ループゲイン推定部は、前記ノイズ生成部が疑似ノイズを出力してから最初に前記相関計算部で所定レベル以上の相関値を算出した場合、当該最初に算出した時間帯における相関値である直接波成分に基づいて、閉ループのゲインを推定する請求項１に記載のループゲイン推定装置。
【請求項３】
前記ループゲイン推定部は、前記直接波成分に加えて、前記相関計算部で前記直接波成分の相関値を算出してから、その後の所定時間長における所定レベル以上の相関値である間接波成分に基づいて閉ループのゲインを推定する請求項２に記載のループゲイン推定装置。
【請求項４】
前記ループゲイン推定部は、前記直接波成分の相関値のピーク値と、前記間接波成分のピーク値との総和から閉ループのゲインを推定する請求項３に記載のループゲイン推定装置。
【請求項５】
前記閉ループのゲインが所定のしきい値に近づいた場合に、前記音声信号のゲインを抑制するゲイン制御部を備えた請求項１〜４のいずれかに記載のループゲイン推定装置。
【請求項６】
前記閉ループのゲインが所定のしきい値に近づいた場合に、警告を行う警告部を備えた請求項１〜５のいずれかに記載のループゲイン推定装置。
【発明の詳細な説明】
【技術分野】
【０００１】
この発明は、閉ループのゲインを推定するループゲイン推定装置に関する。
【背景技術】
【０００２】
従来、講演、コンサート等の拡声システムにおいて、ハウリングを防止するための技術が種々提案されている。一般的なハウリング抑制手法は、ハウリングの発生を検出したときに、ハウリングの原因となる周波数帯域をフィルタで減衰するものである。
【０００３】
また、非特許文献１には、Ｍ系列ノイズの同期加算を用いたハウリングキャンセラが提案されている。非特許文献１のハウリングキャンセラは、事前に高レベルのＭ系列ノイズを放音して、適応型フィルタのトレーニングを行い、運用中には微弱なレベルでＭ系列ノイズを放音して適応フィルタを更新し続けるものである。また、非特許文献１のハウリングキャンセラは、話者がしゃべり続けたり、楽器が鳴り続けたりして外乱が大きくなると、適応フィルタの更新を阻害することになるため、マイク入力レベルが大きい場合、外乱が大きいとみなして適応フィルタの更新を停止している。
【非特許文献１】伊丹  誠、羽鳥  光俊、”音響系におけるハウリング除去に関する検討”、電子情報通信学会技術研究報告、１９８９年、ＥＡ８９−４
【発明の開示】
【発明が解決しようとする課題】
【０００４】
しかし、一般的なフィルタによる減衰手法では、ハウリングが発生した周波数帯域を抑制する手法であるため、一旦ハウリングが発生した後でなければ抑制することができない。
【０００５】
また、講演やコンサートでは、マイクの位置が移動することが多く、閉ループの環境は、マイクの位置等の変化で刻一刻と変化する。閉ループの環境が変化し、ループゲインが変化すると、非特許文献１に記載されているような適応フィルタでは、フィルタ係数の更新が追いつかず、ハウリングを抑制することができない。さらに、非特許文献１のように、マイク入力レベルが大きい場合に適応フィルタの更新を停止すると、ハウリングを抑止できなくなる可能性がある。
【０００６】
また、いずれもハウリング発生原因となる周波数帯域を抑制する手法に過ぎず、ループゲインを推定するものではなく、ハウリング発生を未然に防ぐことができるものではない。
【０００７】
そこで、この発明は、ハウリング発生を未然に防ぐために、閉ループの環境が変化してもループゲインを推定することができるループゲイン推定装置を提供することを目的とする。
【課題を解決するための手段】
【０００８】
この発明のハウリング防止装置は、音声信号を入力する入力部、疑似ノイズを生成するノイズ生成部、音声信号に疑似ノイズを重畳する重畳部、相関計算部、およびループゲイン推定部を備えている。相関計算部は、入力された音声信号と前記ノイズ生成部が生成する疑似ノイズの相関を求める。ループゲイン推定部は、前記相関計算部が算出した相関のピークのから、閉ループのゲインを推定する。ループゲイン推定の手法は、例えば以下の様である。
【０００９】
（１）ループゲイン推定部は、ノイズ生成部が疑似ノイズを出力してから最初に相関計算部で所定レベル以上の相関値を算出した場合、当該最初に算出した時間帯における相関値である直接波成分に基づいて、閉ループのゲインを推定する。
【００１０】
疑似ノイズがループすると、相関計算部で所定レベル以上の相関値が算出される。所定レベルは、定常ノイズのレベルに応じて設定する。疑似ノイズを出力してから最初に算出する所定レベル以上の相関値は、疑似ノイズがループした直接音（直接波）とみなすことができる。そこで、最初に所定レベル以上の相関値を算出した場合、当該算出した時間帯の相関値に基づいて（例えばこの時間帯の相関値の総和から）ループゲインを推定する。また、当該時間帯における最も高レベルの相関値のみに基づいてループゲインを推定してもよい。ハウリング発生に影響するのは直接波の成分が大きいため、ループゲインを推定することができる。
【００１１】
（２）ループゲイン推定部は、直接波成分に加えて、相関計算部で直接波成分の相関値を算出してから、その後の所定時間長における所定レベル以上の相関値である間接波成分に基づいて閉ループのゲインを推定する。
【００１２】
最初のピークを算出したタイミングから所定時間長（次の直接波までの時間）が経過するまでの所定レベル以上の相関値は、壁などの反射波（間接波）とみなすことができる。なお、所定時間長は、疑似ノイズを出力してから最初に所定レベル以上の相関値を算出するまでの時間に応じて設定する。ループゲイン推定部は、これら直接波および反射波の成分に基づいて（例えばこれらの相関値の総和から）、閉ループのゲインを推定する。このように、ループゲイン推定部は、ハウリングに影響する直接波の帰還成分および反射波の帰還成分から推定する処理を行うため、より高精度にループゲインを推定することができる。
【００１３】
（３）ループゲイン推定部は、前記直接波成分の相関値のピーク値と、前記間接波成分のピーク値との総和から閉ループのゲインを推定する。なお、ここで言うピークとは、所定レベル以上の成分のうち、ある時間帯の中で最も高レベルの相関値を示すものを言う。ハウリング発生に影響するのはピーク成分である場合が多いため、このように、直接波および反射波の各ピーク成分の相関値の和に基づいてループゲイン推定を行ってもよい。
【００１４】
以上のように推定したループゲインから、ハウリング発生を未然に防止するための各種対処を行う。例えば、推定したループゲインの値にしきい値を設定しておき、ループゲインがしきい値に近づいた場合に音声信号のゲインを抑制し、ハウリングを未然に防止する。
【００１５】
また、ループゲインがしきい値に近づいた場合に警告（ＬＥＤを点灯させる、ディスプレイに警告を表示する等）してもよい。この場合、音声信号のゲインを抑制しつつ、さらに警告を行うようにしてもよい。
【発明の効果】
【００１６】
この発明によれば、閉ループの環境が変化してもループゲインを推定することができるため、ハウリングが発生する前に種々の対処を行うことができる。
【発明を実施するための最良の形態】
【００１７】
図１（Ａ）は、本実施形態の拡声装置の全体構成を示すブロック図であり、同図（Ｂ）は、本発明のループゲイン推定装置を内蔵したミキサの構成を示すブロック図である。なお、本実施形態の説明においては、特に記載がない限り音声信号は全てデジタル信号とし、Ａ／Ｄ変換、Ｄ／Ａ変換の構成は省略する。
【００１８】
ミキサ１は、マイク１１（収音部）が収音した音声信号を入力する演算部５および疑似ノイズ重畳部７を備えている。疑似ノイズ重畳部７は、マイク１１が収音した音声信号に疑似ノイズを重畳する。なお、ミキサ１は、実際には複数の入力チャンネルおよび出力チャンネルを有しているが、本実施形態では説明を容易にするために１チャンネルの系統のみ示している。
【００１９】
疑似ノイズ重畳部７で疑似ノイズが重畳された音声信号は、後段の増幅系統（アンプ）で増幅され、スピーカ３から放音される。スピーカ３から放音された音声は、マイク１１に帰還し、閉ループが形成される。
【００２０】
ミキサ１は、上記演算部５において、閉ループのゲインを推定する。ミキサ１は、推定したループゲインが所定のしきい値に近づいた場合、音声信号のゲインを抑制したり、警告を行ったりすることで、ハウリングを未然に防止することができるものである。
【００２１】
図１（Ｂ）に示すように、ミキサ１は、ＬＰＦ１２、音声信号用ボリューム１３、重畳部１４、Ｍ系列発生器１５、Ｎ倍オーバーサンプリング部１６、ＨＰＦ１７、疑似ノイズ用ボリューム１８、ＨＰＦ１９、相関計算部２０、タイマ２１、ループゲイン推定部２２、およびゲイン制御部２３を備えている。
【００２２】
演算部５は、Ｍ系列発生器１５、ＨＰＦ１９、相関計算部２０、タイマ２１、およびループゲイン推定部２２により構成される。疑似ノイズ重畳部７は、音声信号用ボリューム１３、重畳部１４、Ｍ系列発生器１５、Ｎ倍オーバーサンプリング部１６、ＨＰＦ１７、疑似ノイズ用ボリューム１８、およびゲイン制御部２３により構成される。
【００２３】
マイク１１が収音した音声信号は、疑似ノイズ重畳部７のＬＰＦ１２および演算部５のＨＰＦ１９に入力される。図２を参照して、疑似ノイズ重畳部７の構成、機能について説明する。各構成部の下欄には、各構成部が出力する信号の波形を示している。
【００２４】
疑似ノイズ重畳部７のＬＰＦ１２には、マイク１１が収音した音声信号が入力される。なお、マイク１１の下欄に示す信号の波形は一例であり、実際には種々の波形を有した信号がＬＰＦ１２に入力される。
【００２５】
ＬＰＦ１２は、この収音した音声信号から高域をカットし、音声信号用ボリューム１３に出力する（同図ＬＰＦ１２の下欄波形を参照）。
【００２６】
音声信号用ボリューム１３は、ゲイン制御部２３により設定されたゲインで、マイク１１の収音した信号を重畳部１４に出力する。
【００２７】
Ｍ系列発生器１５は、本発明のノイズ生成部に相当し、疑似ノイズとしてＰＮ符号（Ｍ系列）のような自己相関性の高い信号を定期的に生成し、Ｎ倍オーバーサンプリング部１６に出力する（同図Ｍ系列発生器１５の下欄波形を参照、ただし、最下欄の波形は時間軸を表す）。なお、Ｍ系列に限らず、Ｇｏｌｄ系列など、他の乱数を用いてもよい。
【００２８】
なお、疑似ノイズの出力周期は、後述のループゲイン推定部２２においてループゲイン推定処理ができるように、反射波（間接波）の成分が所定レベル以上に低下するまでの時間（音響伝達系におけるインパルス応答の収束時間）よりも長く設定されている。
【００２９】
Ｎ倍オーバーサンプリング部１６は、疑似ノイズをオーバーサンプリングする。例えば、１６倍オーバーサンプリングを行い、ＰＮ符号の各ビットの符号周期を拡大し、疑似ノイズ長を１６倍とする（同図Ｎ倍オーバーサンプリング部１６の下欄波形を参照、ただし、最下欄の波形は時間軸を表す）。Ｎ倍オーバーサンプリング部１６は、このオーバーサンプリングした信号をＨＰＦ１７に出力する。
【００３０】
ＨＰＦ１７は、Ｎ倍オーバーサンプリング部１６から入力された信号の低域をカットする（同図ＨＰＦ１７の下欄波形を参照、ただし、最下欄の波形は時間軸を表す）。カットオフ周波数は、例えば１０ｋＨｚに設定される。
【００３１】
なお、ＬＰＦ１２およびＨＰＦ１７は、本発明において必須ではない。ただし、ＨＰＦ１７により、疑似ノイズの高域以外の音がカットされるため、スピーカ３から放音されたとしても聴感上違和感がなくなる（ノイズが聞えにくくなる）。また、ＬＰＦ１２により、一度マイクに入力された高域の疑似ノイズが再び増幅系統に出力されることがなくなり、疑似ノイズのループ現象を抑えることもできる。なお、ＬＰＦ１２およびＨＰＦ１７を省く場合、マイク１１が収音した音声信号から、疑似ノイズ成分を減算してから増幅系統に出力することで、疑似ノイズのループ現象を抑えるようにしてもよい。
【００３２】
なお、Ｎ倍オーバーサンプリング部１６によるオーバーサンプリングも本発明において必須ではない。ただし、オーバーサンプリングを行うことで疑似ノイズの時間的冗長性が増し、相関算出の精度を向上させることができる。実際には、必要となる精度と疑似ノイズの符号長に応じてオーバーサンプリングの有無を設定すればよい。
【００３３】
ＨＰＦ１７から出力された信号は、疑似ノイズ用ボリューム１８に入力される。疑似ノイズ用ボリューム１８は、ゲイン制御部２３により設定されたゲインで、ＨＰＦ１７の出力信号を重畳部１４に出力する。疑似ノイズのレベルは、聴感上違和感のない微弱なレベルとすればよいが、疑似ノイズ相関のピーク値を検出できる程度のレベルを確保する。
【００３４】
重畳部１４は、音声信号用ボリューム１３から出力された音声信号にＨＰＦ１７から出力された信号（疑似ノイズ）を重畳し、増幅系統に出力する。
【００３５】
次に、図３を参照して、演算部５の構成、機能について説明する。各構成部の下欄には、各構成部が出力する信号の波形を示している。Ｍ系列発生器１５は、Ｎ倍オーバーサンプリング部１６に出力したものと同じ疑似ノイズを相関計算部２０に出力する（同図Ｍ系列発生器１５の下欄波形を参照、ただし、当該波形は時間軸を表す）。また、この疑似ノイズを出力した後、出力タイミングを示す信号（タイミング信号）をタイマ２１に送信する。タイマ２１は、タイミング信号を受信すると、タイムカウントを開始し、ループゲイン推定部２２に、カウント時間を示すタイマ信号を送信する。なお、タイマ２１は、本発明において必須ではない。
【００３６】
マイク１１には、疑似ノイズが含まれた音声が収音される。演算部５のＨＰＦ１９には、マイク１１が収音した音声信号が入力される。ＨＰＦ１９は、マイク１１が収音した音声信号から低域をカットし、相関計算部２０に出力する（同図ＨＰＦ１９の下欄波形を参照、ただし、当該波形は周波数軸を表す）。カットオフ周波数は、上記ＨＰＦ１７に対応して決定される（例えば１０ｋＨｚ）。
【００３７】
相関計算部２０は、Ｍ系列発生器１５から入力された疑似ノイズと、ＨＰＦ１９の出力信号の相関を求める。Ｍ系列の符号は非常に高い自己相関性を有しているため、ＨＰＦ１９の出力信号に同じＭ系列の疑似ノイズが含まれていると、同図の波形に示すように、相関値のレベルが高くなる。相関計算部２０は、高レベルの相関値を算出したタイミング（受信タイミング）およびそのときの相関値をループゲイン推定部２２に出力する。
【００３８】
ループゲイン推定部２２は、受信を入力すると、タイマ２１からのタイマ信号を参照し、疑似ノイズを出力したタイミングから受信タイミングまでの時間差を求める。この時間差が、閉ループの遅延時間に相当する。なお、閉ループの遅延時間を測定しない（タイマ２１がない場合）、相関計算部２０の受信タイミングの出力は必須ではない。
【００３９】
ループゲイン推定部２２は、ループゲインを推定する処理を行う。ループゲインの推定手法は、種々の態様が考えられるが、例えば以下のような態様で行われる。
【００４０】
まず、第１の推定手法について、図４を用いて説明する。図４は、相関の時間軸特性を模式的に表した図である。
【００４１】
ループゲイン推定部２２は、疑似ノイズを出力したタイミングから最初に所定レベル以上の相関値を算出した場合、当該最初に算出した時間帯における相関値を直接波とみなし、直接波のピーク成分を求める。すなわち、ループゲイン推定部２２は、所定レベル以上の相関値を算出した場合、その後所定時間帯ｔ１の相関値をメモリ（不図示）に一時記憶し、所定時間帯ｔ１の中で最も高レベルの相関値を抽出し、ピーク値ａ０とする。なお、所定レベルは、定常ノイズのレベルに応じて設定する。ピーク値を抽出する所定時間帯ｔ１は、相関値算出の精度（疑似ノイズの符号長等）やＨＰＦ１９の有無、およびカットオフ周波数等に応じて設定する。
【００４２】
そして、ループゲイン推定部２２は、最初に所定レベル以上の相関値を算出してから上記所定時間帯ｔ１が経過した後に再び所定レベル以上の相関値を算出した場合、当該相関値を反射波とみなし、反射波のピーク成分を求める。上記と同様、ループゲイン推定部２２は、所定レベル以上の相関値を算出した場合、その後所定時間帯ｔ１の相関値をメモリに一時記憶し、最も高レベルの相関値を抽出し、ピーク値ａ１とする。以下、同様にして反射波のピーク値（ａ１，ａ２，・・・）を所定時間長ｔ２だけ抽出する。なお、ここで言う所定時間長ｔ２は、疑似ノイズの出力周期に相当する。なお、室内の残響時間がある程度判明している場合、時間ｔ２は予め設定しておいてもよいし、ユーザが手動で入力するようにしてもよい。
【００４３】
そして、ループゲイン推定部２２は、抽出した直接波および反射波のピーク値の絶対値（｜ａ１｜，｜ａ２｜，・・・）を求め、各絶対値の総和からループゲインを推定する。このように、ループゲイン推定部２２は、ハウリングに影響する直接波の帰還成分および反射波の帰還成分からループゲインを推定する処理を行うため、高精度にループゲインを推定することができる。第１の推定手法は、ハウリング発生に影響するのはピーク成分である場合が多いとみなし、直接波および反射波の各ピーク成分の相関値の和に基づいてループゲイン推定を行うものである。
【００４４】
次に、第２の手法について図５を用いて説明する。図５は、相関の時間軸特性を模式的に表した図である。
【００４５】
ループゲイン推定部２２は、疑似ノイズを出力したタイミングから所定時間長ｔ２が経過するまで、所定レベル以上の相関値を全て抽出し、これらの絶対値の総和を求める（積分値を求める）。なお、この場合の所定レベルも、定常ノイズのレベルに応じて設定する。所定時間長ｔ２についても、疑似ノイズの出力周期に相当する。
【００４６】
このように、第２の手法は、直接波および間接波の全ての成分を総和することで高精度にループゲイン推定を行うものである。
【００４７】
次に、第３の手法について図６を用いて説明する。図６（Ａ）は、相関の時間軸特性（絶対値）を示した図であり、同図（Ｂ）は、当該時間軸特性を模式化したものである。
【００４８】
ループゲイン推定部２２は、まず上記第１の手法で示したように、直接波のピーク値を抽出し、その絶対値｜ａ０｜を取得する。そして、ループゲイン推定部２２は、当該ピークからさらに時間ｔ３が経過したときの相関の絶対値｜ｂ０｜を取得する。時間ｔ３は、疑似ノイズを出力したタイミングから最初に相関のピークを算出するタイミングまでの時間（閉ループの遅延時間）で求められる。（この手法においては、タイマ２１は必須である。）なお、絶対値｜ｂ０｜は、最初のピークから時間ｔ３が経過したタイミングの値に限らず、時間ｔ３経過後で、かつその付近（例えば数十μｓｅｃ前後）で最も相関の絶対値が大きいときの値としてもよい。そして、ループゲイン推定部２２は、絶対値｜ａ０｜と絶対値｜ｂ０｜の比（｜ｂ０｜／｜ａ０｜）をループゲインと推定する。
【００４９】
第３の手法は、最初に直接波のピーク成分を抽出してから、さらに時間ｔ３が経過したタイミング周辺の波形を、スピーカ３から出力された疑似ノイズが再度ループした直接波と判断し、ループゲインを推定するものである。
【００５０】
なお、第３の手法の変形例として、単に最初に抽出した直接波のピーク成分をループゲインとして推定してもよい。ハウリング発生に影響するのは直接波の成分が大きいため、簡易的にループゲインを推定することができる。
【００５１】
なお、上記第１の手法、第２の手法、第３の手法ともに、疑似ノイズの出力周期が音響伝達系におけるインパルス応答の収束時間よりも長く設定されているため、疑似ノイズを出力した後、次に疑似ノイズを出力するまで、ダミーノイズを出力し、無音区間を無くすようにしてもよい。常にノイズ音を出力することで、疑似ノイズが目立たなくなり、聴感上の違和感がなくなる。
【００５２】
以上のようにしてループゲイン推定部２２が推定したループゲインは、ゲイン制御部２３に出力される。ゲイン制御部２３は、推定したループゲインが所定のしきい値ｔｈに近づいた場合、ハウリング発生の可能性が高いとして、音声信号用ボリューム１３のゲインを抑制するよう指示する。また、ゲイン制御部２３は、ループゲインがしきい値に近づいた場合に警告（ＬＥＤを点灯させる、ディスプレイに警告を表示する等）を行ってもよい。なお、ゲイン抑制の処理および警告の処理は、いずれか一方のみ行ってもよく、音声信号のゲインを抑制しつつ、さらに警告を行うようにしてもよい。また、最初に警告を行い、その後ゲイン抑制処理を行う、という態様であってもよい。
【００５３】
ここで、所定のしきい値ｔｈはループゲインの推定手法により異なる。所定のしきい値ｔｈは、どのような値であってもよいが、ある程度のマージンを設定しておく。例えば、実際に使用時より前に、ユーザがゲインを上げ下げする動作を行い、ハウリングが発生した時、ミキサ１の操作部（不図示）でハウリング発生を入力する動作を行う。あるいは、ミキサ１のいずれかの処理部において、音声信号の周波数特性を解析し、所定時間以上単一周波数成分が高レベルとなったとき、ハウリング発生として検出する。ゲイン制御部２３は、このときに入力されているループゲインの推定値をしきい値の最大値ｔｈｍａｘとし、ある係数α（0＜α≦1）を用いてｔｈ＝α×ｔｈｍａｘとする。
【００５４】
以上のようにして、演算部５は、閉ループのゲインを推定し、推定したループゲインが所定のしきい値に近づいた場合に、音声信号のゲインを抑制する処理や警告を行う処理をし、ハウリング発生を未然に防止することができるものである。
【００５５】
本実施形態のミキサ１は、推定したループゲインに基づいてハウリング発生を予測することができるため、プレゼンテーションやライブ演奏のようなマイクの位置が移動することが多い場合であっても、好適にハウリングを防止することができる。
【００５６】
なお、ゲイン制御部２３は、音声信号用ボリューム１３のゲインを抑制するように指示するとともに、疑似ノイズ用ボリューム１８のゲインも抑制するように指示する。ただし、必ず疑似ノイズ相関の最初のピークを検出できるように、所定値以上のゲインを保持するものとする。この所定値については、予め実験室等で測定した値を用いてもよいし、設置環境において実際の使用時より前にテストを行い、相関のピークを算出できる限界のゲインを求め、ある程度のマージンを見た値を設定してもよい。
【００５７】
なお、Ｍ系列発生器１５が生成する疑似ノイズのパターンを複数用意しておき、これらのパターンを切り替えるようにしてもよい。例えば、マイク毎（入力チャンネル毎）に疑似ノイズのパターンを切り替えることで、複数のマイクを同時に使用する場合であっても、互いの疑似ノイズが干渉することなく、高精度に相関を算出することができる。マイク毎に個別に閉ループのループゲインを推定することができるため、複数のマイクを同時に使用した場合であっても好適にハウリングを防止することができる。
【００５８】
特に、疑似ノイズとしてＧｏｌｄ系列を用いる場合、符号生成回路（シフトレジスタ）のタップ位置を切り替えることにより、多種類の符号系列を生成することが可能であるため、大規模なＰＡシステムにも対応することができる。
【００５９】
なお、演算部５および疑似ノイズ重畳部７は、ミキサ１ではなく、マイクに内蔵されていてもよい。また、演算部５および疑似ノイズ重畳部７を内蔵したアダプタを構成し、アダプタの入力部（入力インタフェイス）にマイクを接続し、入力部から入力された信号を演算部５および疑似ノイズ重畳部７に供給する構成としてもよい。いずれにしてもアンプ装置等の増幅系統の前段に備えていればよい。
【図面の簡単な説明】
【００６０】
【図１】ハウリング防止装置の構成を示したブロック図である。
【図２】疑似ノイズ重畳部の構成および処理内容を示したブロック図である。
【図３】演算部の構成および処理内容を示したブロック図である。
【図４】相関の時間軸特性を示した図である。
【図５】相関の時間軸特性を示した図である。
【図６】相関の時間軸特性を示した図である。
【符号の説明】
【００６１】
１−ミキサ
３−スピーカ
５−演算部
７−疑似ノイズ重畳部
１１−マイク
【図１】
2010130070.tif 000003
【図４】
2010130070.tif 000004
【図５】
2010130070.tif 000005
【図６】
2010130070.tif 000006
【図２】
2010130070.tif 000007
【図３】
2010130070.tif 000008